(57)【特許請求の範囲】
【請求項１】
上下端部がそれぞれ天井と床面とに固設された少なくとも１本の支柱を有する支柱ユニットと、
非透光性材料からなり、前記支柱に連結されて前記支柱ユニットの前面部および後面部のそれぞれのほぼ全面を覆うように装着される対をなす表面被覆カバーと、
前記支柱ユニットの両側面部のうち、
一の側面部側に配設される、ドアパネルを含むドア装置と、
他の側面部側に配設され、透光性材料からなる少なくとも１枚のパネル板で構成される間仕切パネルと
を備え、
前記間仕切パネルは、一の側縁部の裏面が前記支柱ユニットの前面部または後面部と接触した状態で配設され、
前記対をなす表面被覆カバーのうち、少なくとも一方の表面被覆カバーは、一の側端部が、前記間仕切パネルの前記一の側縁部の表面に接触するように取り付けられて、前記間仕切パネルの前記一の側縁部を、前記支柱ユニットとの間で挟持することを特徴とする間仕切パネル装置。
【請求項２】
前記ドアパネルは、透光性材料からなる請求項１に記載の間仕切パネル装置。
【請求項３】
前記ドアパネルおよび前記パネル板は、いずれもガラス材料からなる請求項２に記載の間仕切パネル装置。
【請求項４】
前記表面被覆カバーは、金属板を用いて形成される請求項１、２または３に記載の間仕切パネル装置。
【請求項５】
前記支柱ユニットは、
前記一の側面部側に位置し、少なくとも前記ドア装置のドア枠を構成する第１の支柱と、
前記他の側面部側に位置し、前記第１の支柱に対し間隔をおいて配置され、前記間仕切パネルの前記一の側縁部の裏面と接触する第２の支柱と
を有する請求項１〜４のいずれか１項に記載の間仕切パネル装置。
【請求項６】
前記表面被覆カバーは、他の側端部に、前記ドア装置の戸当たり部を形成してなる請求項１〜５のいずれか１項に記載の間仕切パネル装置。
【請求項７】
前記表面被覆カバーは、前記支柱に連結される裏面部分に、前記間仕切パネルの厚さに対応する高さをもち、前記支柱に当接させて連結される突状補強部を有する請求項１〜６のいずれか１項に記載の間仕切パネル装置。
【発明の詳細な説明】
【技術分野】
【０００１】
本発明は、例えばオフィス等の室内を、透光性材料からなる複数の間仕切パネル体と、ドアパネル（好適には透光性材料からなるドアパネル）を含むドア装置とを連結した状態で仕切ることで、室内に、さらに会議室等の区画スペースを形成することができる間仕切パネル装置に関する。
【背景技術】
【０００２】
従来、この種の間仕切パネル装置としては、例えば特許文献１に開示されているように、支柱（構造体）の両側面部のうち、一の側面部側には、ドア装置を配設し、他の側面部側には、間仕切パネル（ガラス）を取り付け、また、支柱の前面部および後面部の表面を実質的に遮蔽するため、支柱の、ドア装置側の表面領域と、間仕切パネル側の表面領域とを、それぞれ２つの別個の表面被覆カバー（補助部材および枠部材）で覆う構成を採用するのが一般的である。
【０００３】
しかしながら、特許文献１に記載のように、支柱の前面部および後面部の表面を、それぞれ２つの別個の表面被覆カバーで覆う構成では、これらの表面被覆カバー同士の配設位置が多少でも離れていると、支柱の前面部および後面部の一部が被覆しきれずに露出してしまい、また、完全に被覆できたとしても、２つの別個の表面被覆カバー同士が当接する境界位置に、必然的に衝合ラインが形成されることになる。このように支柱の前面部および後面部の表面の一部が露出、または表面被覆カバーに前記衝合ラインが形成されることは、特に、間仕切パネルがガラス等の透光性材料からなる場合には、間仕切パネル装置全体としての外観（見栄え）を大きく悪化させる傾向があるため、望ましくなく、この傾向は、特にドア装置を構成するドアパネルもガラス等の透光性材料で構成した場合に、より顕著である。
【０００４】
また、特許文献２には、支柱（枠部材）の前面部および後面部の全面を、単一の表面被覆カバー（表装部材）で実質的に被覆する構成を採用したガラスパネルシステムが開示されている。このガラスパネルシステムは、間仕切パネル（ガラス板）の取付を、間仕切パネルの側縁部を、支柱の凹溝内に挿入することにより保持する構成を採用しているため、間仕切パネルを、上下レールに嵌め込んだ後に（パネルの左右方向に）スライド移動させる必要があり、このような取付方法は、特に高さのある間仕切パネルや、大面積や大重量の間仕切パネルの場合に、取付作業性が悪く、不向きであるという問題がある。
【先行技術文献】
【特許文献】
【０００５】
【特許文献１】特許第４６７６７９９号公報（特に図２および図７等）
【特許文献２】特許第３６３００９４号公報（特に図７等）
【発明の概要】
【発明が解決しようとする課題】
【０００６】
本発明の目的は、表面被覆カバーの適正化を図ることにより、支柱ユニットの前面部および後面部（を覆う表面被覆カバー）の外観（見栄え）を向上させることができ、しかも、表面被覆カバーの取付で、間仕切パネルをスライド移動させることなく、間仕切パネルの側縁部の保持（挟持）も可能にした間仕切パネル装置を提供することにある。
【課題を解決するための手段】
【０００７】
上記目的を達成するため、本発明の要旨構成は以下の通りである。
（１）上下端部がそれぞれ天井と床面とに固設された少なくとも１本の支柱を有する支柱ユニットと、非透光性材料からなり、前記支柱に連結されて前記支柱ユニットの前面部および後面部のそれぞれのほぼ全面を覆うように装着される対をなす表面被覆カバーと、前記支柱ユニットの両側面部のうち、一の側面部側に配設される、ドアパネルを含むドア装置と、他の側面部側に配設され、透光性材料からなる少なくとも１枚のパネル板で構成される間仕切パネルとを備え、前記間仕切パネルは、一の側縁部の裏面が前記支柱ユニットの前面部または後面部と接触した状態で配設され、前記対をなす表面被覆カバーのうち、少なくとも一方の表面被覆カバーは、一の側端部が、前記間仕切パネルの前記一の側縁部の表面に接触するように取り付けられて、前記間仕切パネルの前記一の側縁部を、前記支柱ユニットとの間で挟持することを特徴とする間仕切パネル装置。
【０００８】
（２）前記ドアパネルは、透光性材料からなる上記（１）に記載の間仕切パネル装置。
【０００９】
（３）前記ドアパネルおよび前記パネル板は、いずれもガラス材料からなる上記（２）に記載の間仕切パネル装置。
【００１０】
（４）前記表面被覆カバーは、金属板を用いて形成される上記（１）、（２）または（３）に記載の間仕切パネル装置。
【００１１】
（５）前記支柱ユニットは、前記一の側面部側に位置し、少なくとも前記ドア装置のドア枠を構成する第１の支柱と、前記他の側面部側に位置し、前記第１の支柱に対し間隔をおいて配置され、前記間仕切パネル体の前記一の側縁部の裏面と接触する第２の支柱とを有する上記（１）〜（４）のいずれか１項に記載の間仕切パネル装置。
【００１２】
（６）前記表面被覆カバーは、他の側端部に、前記ドア装置の戸当たり部を形成してなる上記（１）〜（５）のいずれか１項に記載の間仕切パネル装置。
【００１３】
（７）前記表面被覆カバーは、前記支柱に連結される裏面部分に、前記間仕切パネルの厚さに対応する高さをもち、前記支柱に当接させて連結される突状補強部を有する上記（１）〜（６）のいずれか１項に記載の間仕切パネル装置。
【発明の効果】
【００１４】
本発明によれば、上下端部がそれぞれ天井と床面とに固設された少なくとも１本の支柱を有する支柱ユニットと、非透光性材料からなり、前記支柱に連結されて前記支柱ユニットの前面部および後面部のそれぞれのほぼ全面を覆うように装着される対をなす表面被覆カバーと、前記支柱ユニットの両側面部のうち、一の側面部側に配設される、ドアパネルを含むドア装置と、他の側面部側に配設され、透光性材料からなる少なくとも１枚のパネル板で構成される間仕切パネルとを備え、前記間仕切パネルは、一の側縁部の裏面が前記支柱ユニットの前面部または後面部と接触した状態で配設され、前記対をなす表面被覆カバーのうち、少なくとも一方の表面被覆カバーは、一の側端部が、前記間仕切パネルの前記一の側縁部の表面に接触するように取り付けられて、前記間仕切パネルの前記一の側縁部を、前記支柱ユニットとの間で挟持することによって、支柱ユニットの前面部および後面部（を覆う表面被覆カバー）の外観（見栄え）を向上させることができ、しかも、表面被覆カバーの取付で、間仕切パネルをスライド移動させることなく、間仕切パネルの側縁部の保持（挟持）も可能にし、特に高さのある間仕切パネルや、大面積や大重量の間仕切パネルの場合であっても、容易に取り付けることができる間仕切パネル装置を提供することが可能になった。
【図面の簡単な説明】
【００１５】
【図１】図１は、本発明に従う代表的な間仕切パネル装置の要部の正面図である。
【図２】図２は、図１に示す間仕切パネル装置の要部の横断面図である。
【図３】図３は、図２に示す間仕切パネル装置を構成する第１の表面被覆カバーを示したものであって、図３（ａ）は裏面図、図３（ｂ）は上面図である。
【図４】図４は、図２に示す間仕切パネル装置を構成する第２の表面被覆カバーを示したものであって、図４（ａ）は裏面図、図４（ｂ）は上面図である。
【図５】図５は、図２に示す間仕切パネル装置を構成する第３の表面被覆カバーを示したものであって、図５（ａ）は裏面図、図５（ｂ）は上面図である。
【図６】図６は、図２に示す間仕切パネル装置を構成する第４の表面被覆カバーを示したものであって、図６（ａ）は裏面図、図６（ｂ）は上面図である。
【図７】図７は、第３の支柱に、第３および第４の表面被覆カバーを装着するときの状態を説明するための図である。
【発明を実施するための形態】
【００１６】
次に、本発明の実施形態について図面を参照しながら以下で説明する。
図１は、本発明に従う代表的な間仕切パネル装置を、仕切られた区画スペース（部屋）の外側から眺めた正面図であり、図２は、図１に示す間仕切パネル装置の要部の横断面図であり、図３〜図６は、図２に示す間仕切パネル装置を構成する４種類の表面被覆カバーを、それぞれの裏面および上面から眺めた図であり、そして、図７は、第３の支柱に、第３および第４の表面被覆カバーを装着するときの状態を説明するための図である。
【００１７】
図１および図２に示す間仕切パネル装置１は、支柱ユニット１０、図２では２つの支柱ユニット１０ａ、１０ｂと、対をなす表面被覆カバー３０、３０、図２では２対の表面被覆カバー３０ａ、３０ｂおよび３０ｃ、３０ｄと、ドア装置５０と、間仕切パネル７０とを主として備え、これらを連結した状態で、例えばオフィス等の室内に配設して室内を仕切ることで、室内に、さらに会議室等の区画スペース（部屋）を形成することができる。なお、以下では、説明の便宜上、図２において、下側方向を、部屋の外側方向ｄoutとするとともに、支柱ユニット１０ａ、１０ｂ、表面被覆カバー３０ａ〜３０ｄ、ドア装置５０および間仕切パネル７０の各後面部が位置する方向とし、また、上側方向を部屋の内側方向ｄinとするとともに、支柱ユニット１０ａ、１０ｂ、表面被覆カバー３０ａ〜３０ｄ、ドア装置５０および間仕切パネル７０の各前面部が位置する方向として説明する。
【００１８】
支柱ユニット１０ａ、１０ｂは、上下端部がそれぞれ天井Ｒと床面Ｆとに固設された少なくとも１本の支柱、図２では、支柱ユニット１０ａが、一の側面部１０ａ１側に位置し、少なくともドア装置５０のドア枠（の一の縦枠）を構成する第１の支柱１２ａと、他の側面部側１０ａ２に位置し、第１の支柱１２ａに対し間隔をおいて配置され、ドア枠と間仕切パネル７０のパネル縦枠とを兼ねる第２の支柱１２ｂとを有する２本の支柱を有する構成が示されており、また、支柱ユニット１０ｂは、ドア装置５０のドア枠と間仕切パネル７０のパネル縦枠とを兼ねる第３の支柱１２ｃの１本の支柱を有する構成が示されている。
【００１９】
また、支柱ユニット１０ａは、第１の支柱１２ａと第２の支柱１２ｂの間に、これら支柱１２ａ、１２ｂを連結する連結部材１４が配設され、さらに、支柱ユニット１０ａを構成する第２の支柱１２ｂは、間仕切パネル７０のパネル枠体を構成するパネル縦枠１６が、ビス等の複数の止めねじ１８による連結により一体化されており、この第２の支柱１２ｂ（を構成する）パネル縦枠１６の前面部１６ａまたは後面部１６ｂに、間仕切パネル７０の取付時に、間仕切パネル７０の一の側縁部７０ａの裏面が接触するように構成されている。前記連結部材１４としては、例えば石膏ボード等の裏面材と、鋼板等の表面材からなる２枚の積層板を、鋼板等の中間結合材を介して連結し、これら積層板で挟まれた空間に、ロックウール等の充填剤を充填した複合板が挙げられる。
【００２０】
第１〜第３の支柱１２ａ〜１２ｃは、図２では、角管状のものを使用した場合を示しているが、角柱状などの他の形状を採用することでき、また、材質も鋼やアルミニウム合金等の種々の金属材料を用いることができる。
【００２１】
対をなす表面被覆カバー３０ａ、３０ｂおよび３０ｃ、３０ｄは、いずれも非透光性材料からなっており、一対の表面被覆カバー３０ａ、３０ｂは、支柱ユニット１０ａの前面部および後面部のそれぞれのほぼ全面を覆うように装着され、また、一対の表面被覆カバー３０ｃ、３０ｄは、支柱ユニット１０ｂの前面部および後面部のそれぞれのほぼ全面を覆うように装着されている。
【００２２】
図２に示す間仕切パネル装置１は、形状の異なる第１〜第４の表面被覆カバー３０ａ〜３０ｄを用いて構成した場合を示している。図３〜図６は、それぞれ第１〜第４の表面被覆カバー３０ａ〜３０ｄの裏面（図３（ａ）〜図６（ａ））および上面（図３（ｂ）〜図６（ｂ））を示したものである。
【００２３】
そして、本発明では、対をなす表面被覆カバー３０ａ、３０ｂおよび３０ｃ、３０ｄのうち、少なくとも一方の表面被覆カバー、図２では、一方の表面被覆カバー３０ａおよび３０ｃは、それぞれ一の側端部３０ａ１および３０ｃ１の裏面が、間仕切パネル７０の一の側縁部７０ａの表面に接触するように取り付けられて、間仕切パネル７０の一の側縁部７０ａを、一方の表面被覆カバー３０ａまたは３０ｃの一の側端部３０ａ１または３０ｃ１と、支柱ユニット１０ａまたは１０ｂ（を構成するパネル縦枠１６）との間で挟持することができる。このように、本発明では、間仕切りパネル７０を所定の取付位置にセットした後に、対をなす表面被覆カバー３０ａ、３０ｂまたは３０ｃ、３０ｄを取り付ける構成を採用したことで、間仕切パネル７０をスライド移動させることなく、間仕切パネル７０の側縁部７０ａの保持（挟持）も可能にし、特に高さのある間仕切パネルや、大面積や大重量の間仕切パネルの場合であっても、容易に取り付けることができる。
【００２４】
また、本発明では、各支柱ユニット１０ａ、１０ｂの前面部または後面部を覆う表面被覆カバー３０ａ〜３０ｄとして、単一の表面被覆カバーを使用することが可能になるため、２つの別個の表面被覆カバーを用いていた従来の間仕切りパネル装置に比べて、支柱ユニットの前面部および後面部（を覆う表面被覆カバー）の外観（見栄え）を向上させることができる。
【００２５】
加えて、図２では、間仕切パネル７０が、支柱ユニット１０ａ（の第２支柱１２ｂを構成するパネル縦枠１６）の後面部側のみに、１枚のパネル板７２を配設した、いわゆる片寄せパネル配設構造の場合を示しており、かかる場合、第２および第４の表面被覆カバー３０ｂおよび３０ｄは、それらの側端部で、間仕切パネル７０の側縁部を保持（挟持）する必要がないことから、これらの側端部を直角に折り曲げて、支柱ユニットが側面側から見えにくい形状にしているが、かかる形状だけには限定されない。さらに、支柱ユニット１０ａの側端部１０ａ２には、パネル縦枠１６の側端部が露出するのを防止する観点から、パネル縦枠１６に、側面被覆キャップ１９の裏面に設けた突出片１９ａを嵌め込んで、パネル縦枠１６を側面被覆キャップ１９で被覆した構成を示しているが、かかる構成だけには限定されない。
【００２６】
表面被覆カバー３０の材質としては、間仕切パネル７０の側縁部７０ａを保持できる強度をもち、かつ、支柱ユニット１０の前後面部が見えないように被覆できて、良好な外観（見栄え）を有する非透光性材料を用いればよく、特に限定はしないが、例えば、アルミ合金板や鋼板等の金属板や、この金属板に各種めっきや塗装等の表面処理被膜を形成した表面処理金属板等が挙げられ、そのような材質で形成された各種装飾パネルを用いることが好適である。
【００２７】
また、図２では、第１および第３表面被覆カバー３０ａおよび３０ｃは、他の側端部３０ａ２および３０ｃ２を、それぞれ支柱ユニット１０ａおよび１０ｂよりもドア装置５０側に突出させて、ドア装置５０の戸当たり部３２および３３を形成するとともに、一の端部３０ａ１、３０ｃ１の端縁位置を、支柱ユニット１０ａおよび１０ｂの左右方向の最外側端面位置と一致するように形成し、戸当たり部３２および３３の内面に、緩衝材３１を両面テープ等で貼着固定した場合を示しているが、必要に応じて他の構成に変更することもできる。
【００２８】
さらに、表面被覆カバー３０は、図２に示すように、支柱１２ａ〜１２ｃに連結される裏面部分に、間仕切パネル７０の厚さに対応する高さをもち、支柱１２ａ〜１２ｃに当接させて連結される突状補強部３４を有することが、表面被覆カバー３０全体の強度を向上させるのに好適である。
【００２９】
加えて、支柱ユニット１０ｂに第３および第４の表面被覆カバー３０ｃおよび３０ｄを装着する方法としては、図７に示すように、まず、取付位置に設置した第３の支柱１２ｃの前面部側から、第３の支柱１２ｃに形成してある貫通孔を通じて挿入されたビス等の複数の止めねじ１５を、第３の表面被覆カバー３０ｃの突状補強部３４に形成したねじ孔３５に連結して、第３の表面被覆カバー３０ｃを、支柱ユニット１０ｂを構成する第３の支柱１２ｃに装着し、次いで、第３の支柱１２ｃの前面部に取り付けられているばねグリップ３７が、第４の表面被覆カバー３０ｄの突状補強部３４に形成した取付開口３６に挿入されるように、第４表面被覆カバー３０ｄを第３の支柱１２ｃの前面部に近接させた状態で、第４の表面被覆カバー３０ｄを、第３の支柱１２ｃの下側方向にスライド移動させることにより、第４の表面被覆カバー３０ｄを、支柱ユニット１０ｂを構成する第３の支柱１２ｃに装着する方法が挙げられるが、かかる取付方法だけに限定されず、第３の支柱１２ｃの前面部および後面部の双方にばねグリップ３７を設け、第３の表面被覆カバー３０ｃもまた、第４の表面被覆カバー３０ｄと同じ裏面形状にすることも可能である。また、支柱ユニット１０ａに第１および第２の表面被覆カバー３０ａおよび３０ｂを装着する方法もまた、上述した、支柱ユニット１０ｂに第３および第４の表面被覆カバー３０ｃおよび３０ｄを装着する方法と同様な方法で行なうことができる。
【００３０】
ドア装置５０は、少なくとも１枚のドアパネル、図２では補強材５１を介して所定の間隔をおいて配設された２枚のドアパネル５２、５２を有し、支柱ユニット１０ａの側面部１０ａ１側に配設されている。
【００３１】
ドアパネル５２は、間仕切パネル装置１全体の外観（見栄え）を向上させる観点から、透光性材料、例えば強化ガラス等のガラス材料からなることが好ましい。なお、ここでいう「透光性」とは、可視光を透過させる性質を意味し、具体的には透光性材料からなるパネル板を通して、区画スペース（部屋）の、外側から内部や、内部から外側を透視できる性質を意味する。
【００３２】
ドア装置５０は、一の側端部を、ドアヒンジ５４を用いて支柱ユニット１０ｂ（を構成する第３の支柱１２ｃ）に回動可能に取り付け、また、他の端部を、第１の表面被覆カバー３０ａに設けた戸当たり部３２と当接する形状に形成しており、他の端部側のドアパネル５２の位置に、キーシリンダ５６と、レバータイプの把手５８を有している。
【００３３】
間仕切パネル７０は、支柱ユニット１０ａの他の側面部１０ａ２側に配設され、例えば強化ガラス等の透光性材料からなる少なくとも１枚のパネル板、図２では１枚のパネル板７２の側縁部の裏面が、支柱ユニット１０ａの前面部または後面部、図２では支柱ユニット１０ａの後面部と接触した状態で配設されている。また、間仕切パネル７０は、２枚のパネル板７２、７２で構成されていてもよく、この場合、支柱ユニット１０ａ（の第２の支柱１２ａを構成するパネル縦枠１６）の前面部と後面部に、それぞれ２枚のパネル板７２、７２の側縁部の裏面が接触するように配設するとともに、第２の表面被覆カバー３０ｂもまた、第１の表面被覆カバー３０ａの側端部３０ａ１と同じ形状に構成すればよい。
【００３４】
また、各パネル板７２は、１枚で構成される場合だけではなく、２枚以上の合わせガラスで構成することも可能である。
【００３５】
なお、図示は省略したが、間仕切パネル７０の上下の端部は、天井Ｒに取り付けた笠木、および床Ｆに取り付けた幅木内に設けられたサッシュの凹溝にそれぞれ嵌め合わされて、特に上下方向への移動が阻止されるように支持されている。また、左右に隣接する２つの間仕切パネル７０、７０の対向端部同士は、ポリカーボネート等よりなる上下方向に延びる透明な連結部材７４により、互いに連結されている。
【００３６】
上述したところは、この発明の実施形態の一例を示したにすぎず、特許請求の範囲において種々の変更を加えることができる。
【産業上の利用可能性】
【００３７】
本発明によれば、支柱ユニットの前面部および後面部（を覆う表面被覆カバー）の外観（見栄え）を向上させることができ、しかも、表面被覆カバーの取付で、間仕切パネルをスライド移動させることなく、間仕切パネルの側縁部の保持（挟持）も可能にし、特に高さのある間仕切パネルや、大面積や大重量の間仕切パネルの場合であっても、容易に取り付けることができる間仕切パネル装置を提供することが可能になった。
【符号の説明】
【００３８】
１  間仕切パネル装置
１０、１０ａ、１０ｂ  支柱ユニット
１２ａ  第１の支柱
１２ｂ  第２の支柱
１２ｃ  第３の支柱
１４  連結部材
１５  止めねじ
１６  パネル縦枠
１８  止めねじ
１９  側面被覆キャップ
３０  表面被覆カバー
３０ａ  第１の表面被覆カバー
３０ｂ  第２の表面被覆カバー
３０ｃ  第３の表面被覆カバー
３０ｄ  第４の表面被覆カバー
３１  緩衝材
３２、３３  戸当たり部
３４  突状補強部
３５  ねじ孔
３６  取付開口
３７  ばねグリップ
５０  ドア装置
５１  補強材
５２  ドアパネル
５４  ドアヒンジ
５６  キーシリンダ
５８  把手
７０  間仕切パネル
７２  パネル板
７４  連結部材
ｄout  部屋の外側方向
ｄin  部屋の内側方向
Ｒ  天井
Ｆ  床面
【図１】
0006513497.tif 000002
【図２】
0006513497.tif 000003
【図３】
0006513497.tif 000004
【図４】
0006513497.tif 000005
【図５】
0006513497.tif 000006
【図６】
0006513497.tif 000007
【図７】
0006513497.tif 000008